(57)【特許請求の範囲】
【請求項１】
トラップ本体の外周を包む形状に形成されたトラップ保温キャップには、前記トラップ本体に枝管を接続可能に複数方向に予め穴部が開口形成され、各穴部には、蓋部材を嵌合状に装着できるように構成されていることを特徴とするトラップ保温キャップ。
【請求項２】
前記穴部には、前記蓋部材に代えて、枝管の外周を包む枝管用保温材を装着可能であることを特徴とする請求項１に記載のトラップ保温キャップ。
【発明の詳細な説明】
【０００１】
【産業上の利用分野】
この発明は、トラップの外周を包んで、トラップを保温するトラップ保温キャップに関するものである。
【０００２】
【従来の技術及びその課題】
従来、ユニットバス，シャワーユニット，洗濯機パンの底側に設けられるトラップ本体は、図１０〜図１３にそれぞれ平面図で示すようなタイプのものがあり、図１０では、トラップ本体１に、出口側接続口２と浴槽側接続口３が９０°変位した位置に突出形成されており、出口側接続口２には排出管が接続されるものであり、また、浴槽側接続口３には浴槽側からの枝管が接続されるものである。また、図１１のタイプでは、浴槽側接続口３と対向する側にドア下側接続口４が突出形成されており、このドア下側接続口４には、ドアの下部に溜まる排水をトラップ本体１に流入させるための枝管が接続されるものである。
また、図１２のタイプでは、出口側接続口２と対向する側に追焚き側接続口５が形成されており、この追焚き側接続口５には、追焚き時の漏水をトラップ本体１に流入させるための枝管が接続されるものである。
また、図１３のタイプでは、トラップ本体１から、出口側接続口２と浴槽側接続口３と追焚き側接続口５が突出形成されたものである。
さらに、トラップ本体１は、図１４〜図１７に示すように、出口側接続口２が左側に配置されたＬタイプのものも存在するのである。
【０００３】
従来において、このような複数のタイプのトラップ本体１に対し、寒冷地仕様では、トラップ本体１の外周を包んで保温するためにトラップ保温キャップが設けられ、例えば図１８に示すように、保温キャップは、右側トラップ保温キャップ５１と、左側トラップ保温キャップ５２で分割形成されており、この左右のトラップ保温キャップ５１，５２をトラップ本体１の外側に被せると、同時に出口側接続口２と浴槽側接続口３の外周を包み込むことができるように構成されており、前述した追焚き側接続口５，ドア下側接続口４の位置には、くり抜き用薄肉部５２ａを予め形成させておき、必要に応じて、くり抜き用薄肉部５２ａを現場でくり抜いて、追焚き側枝管とかドア下側枝管を接続している。
このような構造では、現場でくり抜き用薄肉部５２ａをくり抜いて穴を開ける時に、綺麗に穴を開口させることが難しく、また、穴を開けることにより、くり抜き用薄肉部５２ａがゴミとなって廃棄物が発生してしまうという問題点があった。
なお、図１８において、図中６は、浴槽側接続口３に接続される、浴槽排水受け７に接続されたフレキシブル枝管であり、このフレキシブル枝管６の外周には断熱シート９が巻かれて保温されるものである。
また、浴槽排水受け７の底面にも保温キャップ８が被せられて保温されるものである。
【０００４】
さらに、従来、図１９に示すように、トラップ本体１の外周を包む形状に形成されたトラップ保温キャップ５３に、Ｕ字状に切り欠いて出口側切欠凹部５３ａ，浴槽側切欠凹部５３ｂ，追焚き側切欠凹部５３ｄ，ドア下側切欠凹部５３ｃを予め形成させておき、この切欠凹部５３ｂ，５３ｃ，５３ｄには、それぞれキャップ５４を嵌め込んでおく構造のものが存在するが、このような構造のものでは、キャップ５４が外れないようにガムテープ等でキャップ５４，５４，５４を止め付けておく必要があり、意匠的に見栄えが悪いという問題点があった。
【０００５】
【課題を解決するための手段】
本発明は上記従来の問題点に鑑み案出したものであって、ゴミが発生することなく、また見栄え性が良好なトラップ保温キャップを提供せんことを目的とし、その第１の要旨は、トラップ本体の外周を包む形状に形成されたトラップ保温キャップには、前記トラップ本体に枝管を接続可能に複数方向に予め穴部が開口形成され、各穴部には、蓋部材を嵌合状に装着できるように構成されていることである。
また、第２の要旨は、前記穴部には、前記蓋部材に代えて、枝管の外周を包む枝管用保温材を装着可能であることである。
【０００６】
【実施例】
以下、本発明の実施例を図面に基づいて説明する。
図１は、前記図１０に平面図で示したトラップ本体をトラップ保温キャップ１０で包んだ状態の平面構成図であり、図５に概略斜視図を示し説明すると、トラップ本体１の外周を包む形状に形成されたトラップ保温キャップ１０には、トラップ本体１から突出された出口側接続口２の外周を包む出口側接続口保温部１１が一体形成されており、また、トラップ本体１から突出された浴槽側枝管を貫通状に通すことのできる浴槽側穴部１２が形成されており、また、トラップ保温キャップ１０には、浴槽側穴部１２と対向する位置に、同形状のドア下側穴部１３が貫通形成されており、また、出口側接続口保温部１１と対向する側には、追焚き側穴部１４が貫通形成されたものとなっており、ドア下側穴部１３及び追焚き側穴部１４には、図９に示すような蓋部材１８が嵌合状に装着されている。
【０００７】
即ち、図８の斜視図で、前記ドア下側穴部１３を例示して説明すると、ドア下側穴部１３は、貫通穴１３ｂの外側に、楕円状の差込段部１３ａが形成されており、トラップ本体１にはトラップ補強リブ１３ｃが形成されたものとなっており、蓋部材１８は、貫通穴１３ｂ内に嵌合状に差し込まれる嵌合軸部１８ｂの外側にフランジ部１８ａが一体形成されており、フランジ部１８ａは差込段部１３ａ内に嵌合状に差込み可能な楕円形状に形成されている。
【０００８】
また、嵌合軸部１８ｂの上面には溝状に係入溝１８ｃが形成されており、蓋部材１８が差し込まれた時には、この係入溝１８ｃ内にトラップ補強リブ１３ｃが係入されるものであり、蓋部材１８が差し込まれた時には、嵌合軸部１８ｂ及びフランジ部１８ａが摩擦により強固な状態で装着されるため、簡単に抜けることはなく、また回転することもなく、強固な嵌合状態となる。
同様に、追焚き側穴部１４にも、このような蓋部材１８を嵌合状に装着しておくことができるものであり、また、蓋部材１８は、前記浴槽側穴部１２にも同様に嵌合状に差込みできるものである。
図１では、トラップ本体１が出口側接続口２と浴槽側接続口３を有するタイプのものであるため、このような場合には、追焚き側穴部１４とドア下側穴部１３には、それぞれ蓋部材１８が嵌合状に装着されたまま使用されるものである。
【０００９】
なお、浴槽側接続口３には、浴槽側から排水管６が接続されて、浴槽の排水がトラップ本体１内に流入されるのであるが、図６に示すように、浴槽側枝管の外周には、枝管用保温材１５が装着されて保温されるものであり、枝管用保温材１５は図７の分解図で示すように、右部材１６と左部材１７で分割可能に構成されており、右部材１６の内周面１６ａ及び左部材１７の内周面１７ａは、それぞれ浴槽側枝管に形成された偏平部３ａの外周を包むことのできる形状に形成されており、右部材１６の上面には段状に嵌合凹部１６ｂが形成され、下面側には嵌合突部１６ｃが形成されている。また、左部材１７の上面には嵌合突部１７ｂが形成され、下面側には嵌合凹部１７ｃが形成されている。
【００１０】
従って、嵌合凹部１６ｂ内に嵌合突部１７ｂが嵌まり込み、また、嵌合凹部１７ｃ内に嵌合突部１６ｃが嵌まり込んで、右部材１６と左部材１７が嵌合状態で取り付けられるものであり、この状態では、その外周が楕円形状をなして、前述した浴槽側穴部１２の差込段部１２ａ内に嵌合状に差し込んで装着できるように構成されている。
即ち、この枝管用保温材１５の外周形状及び寸法は、前述した蓋部材１８のフランジ部１８ａの外周形状及び寸法と同一に設定されており、各穴部１２，１３，１４には、蓋部材１８を嵌合状に装着することも、また、枝管用保温材１５を装着することもできるように設定されている。
【００１１】
図２の平面図で示す場合は、トラップ本体１に、追焚き側接続口５が追加形成されているタイプであり、このような場合は、追焚き側穴部１４に嵌め込まれている蓋部材１８を抜き取って、追焚き側接続口５に、追焚き時の漏水をトラップ本体１内へ流入させるための枝管を接続することができる。
即ち、図２では、ドア下側穴部１３のみに蓋部材１８が装着されてトラップ保温キャップ１０が使用されるものである。
【００１２】
さらに、図３の平面図で示す場合は、トラップ本体１にドア下側接続口４が突出形成されたタイプであり、このようなタイプでは、トラップ保温キャップ１０の追焚き側穴部１４のみに蓋部材１８が装着されて使用されるものであり、ドア下側接続口４にドア下排水枝管を接続することができる。
【００１３】
さらに、図４の場合には、トラップ本体１にドア下側接続口４及び追焚き側接続口５が突出形成されているタイプであり、このタイプのトラップ本体１を保温する場合には、全ての穴部１２，１３，１４に枝管が接続されるため、それぞれの穴部１２，１３，１４にそれぞれ枝管が接続され、蓋部材１８は全て取り除かれて用いられるものである。
【００１４】
このように１種類のトラップ保温キャップ１０を用意して、必要に応じて蓋部材１８を装着したり取り外したりして使用することができ、また、浴槽側枝管用保温材１５を各穴部１２，１３，１４に差込み状に差し込んで用いることもでき、部品点数が少なく、あらゆるタイプのトラップ本体１の保温に使用することができるものとなる。
【００１５】
【発明の効果】
本発明は、トラップ本体の外周を包む形状に形成されたトラップ保温キャップには、トラップ本体に枝管を接続可能に複数方向に予め穴部が開口形成され、各穴部には、蓋部材を嵌合状に装着できるように構成されていることにより、あらゆるタイプのトラップ本体に対し１種類のトラップ保温キャップで対応することができ、枝管を接続しない穴部には蓋部材を装着しておけば良く、蓋部材は強固に嵌合状に装着されるために脱落することがなく、ガムテープ等で貼り付けておく必要もなく、見栄え性が良好なものとなる。また、現場でゴミが発生することもなくなる。
【００１６】
また、穴部には、蓋部材に代えて、浴槽側枝管の外周を包む枝管用保温材を装着可能であることにより、トラップ本体に浴槽側枝管を接続する部位には、枝管の外周を包む枝管用保温材をトラップ保温キャップの穴部に装着して、枝管を良好に保温することができ、トラップ保温キャップの穴部には、蓋部材でも枝管用保温材でも、どちらでも装着可能であるため、部品点数が少なくなり、良好な使用状態が得られるものとなる。
【図面の簡単な説明】
【図１】出口側接続口と浴槽側接続口を有するトラップ本体を、トラップ保温キャップで保温した状態の平面構成図である。
【図２】出口側接続口と浴槽側接続口と追焚き側接続口を有するトラップ本体を、トラップ保温キャップで保温した状態の平面構成図である。
【図３】出口側接続口と浴槽側接続口とドア下側接続口を有するトラップ本体を、トラップ保温キャップで保温した状態の平面構成図である。
【図４】出口側接続口と浴槽側接続口とドア下側接続口と追焚き側接続口を有するトラップ本体を、トラップ保温キャップで保温した状態の平面構成図である。
【図５】図１の概略斜視構成図である。
【図６】浴槽側接続口の外周を保温する枝管用保温材の取付け前の分解図である。
【図７】枝管用保温材の分解図である。
【図８】トラップ保温キャップの穴部に、蓋部材を装着する前の分解図である。
【図９】蓋部材の斜視構成図である。
【図１０】トラップ本体の平面構成図である。
【図１１】トラップ本体の平面構成図である。
【図１２】トラップ本体の平面構成図である。
【図１３】トラップ本体の平面構成図である。
【図１４】トラップ本体の平面構成図である。
【図１５】トラップ本体の平面構成図である。
【図１６】トラップ本体の平面構成図である。
【図１７】トラップ本体の平面構成図である。
【図１８】従来のトラップ本体に対するトラップ保温キャップの分解構成図である。
【図１９】さらに異なる従来のトラップ保温キャップの斜視構成図である。
【符号の説明】
１  トラップ本体
２  出口側接続口
３  浴槽側接続口
３ａ  偏平部
４  ドア下側接続口
５  追焚き側接続口
６  排水管
１０  トラップ保温キャップ
１１  出口側接続口保温部
１２  浴槽側穴部
１２ａ  差込段部
１２ｂ  貫通穴
１３  ドア下側穴部
１３ａ  差込段部
１３ｂ  貫通穴
１３ｃ  トラップ補強リブ
１４  追焚き側穴部
１４ａ  差込段部
１４ｂ  貫通穴
１５  浴槽側枝管用保温材
１６  右部材
１６ｂ，１７ｃ  嵌合凹部
１６ｃ，１７ｂ  嵌合突部
１７  左部材
１８  蓋部材
１８ａ  フランジ部
１８ｂ  嵌合軸部
１８ｃ  係入溝
【図１】
0003769726.tif 000002
【図２】
0003769726.tif 000003
【図３】
0003769726.tif 000004
【図４】
0003769726.tif 000005
【図５】
0003769726.tif 000006
【図６】
0003769726.tif 000007
【図７】
0003769726.tif 000008
【図８】
0003769726.tif 000009
【図９】
0003769726.tif 000010
【図１０】
0003769726.tif 000011
【図１１】
0003769726.tif 000012
【図１２】
0003769726.tif 000013
【図１３】
0003769726.tif 000014
【図１４】
0003769726.tif 000015
【図１５】
0003769726.tif 000016
【図１６】
0003769726.tif 000017
【図１７】
0003769726.tif 000018
【図１８】
0003769726.tif 000019
【図１９】
0003769726.tif 000020